【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
複数のアプリケーション機能と、
表示機能を有する操作パネルと、
該操作パネルの表示用メモリ領域を備える蓄積手段と、
前記操作パネルを制御する操作部制御手段とを有し、
前記操作部制御手段は、操作部表示権を有するアプリケーションが前記表示用メモリ領域に記憶した画像情報を前記操作パネルに表示する画像処理装置において、
前記複数のアプリケーションは共有して前記蓄積手段を使用し、
サムネイル表示用のメモリは前記複数のアプリケーションが前記表示用メモリ領域に各アプリケーションの起動時に確保し、
プレビュー表示用のメモリは前記複数のアプリケーションが前記表示用メモリ領域に各アプリケーションのプレビュー実行時に確保し、
前記操作部制御手段は、前記操作パネルからアプリケーションの切換要求が行われた場合、
前記操作部表示権を有するアプリケーションへ操作部解放要求を行い、前記操作部解放要求を受けたアプリケーションが、前記表示用メモリ領域にプレビュー表示用のメモリを確保していたときは、
前記操作パネルに画像情報を表示することができない旨を表示することを特徴とする画像処理装置。
【請求項２】
前記操作部制御手段は、前記操作パネルに画像情報を表示することができない旨を表示するときは
、
前記表示用メモリ領域にプレビュー表示用のメモリを確保しているアプリケーション機能名を表示することを特徴とする請求項１記載の画像処理装置。
【請求項３】
前記操作部表示権を有するアプリケーションは、他のアプリケーションが前記表示用メモリ領域にプレビュー表示用のメモリを確保していたときにプレビュー機能を使用することができないことを特徴とする請求項１または２に記載の画像処理装置
【請求項４】
複数のアプリケーション機能と、
表示機能を有する操作パネルと、
該操作パネルの表示用メモリ領域を備える蓄積手段と、
前記操作パネルを制御する操作部制御手段とを有し、
前記操作部制御手段は、操作部表示権を有するアプリケーションが前記表示用メモリ領域に記憶した画像情報を前記操作パネルに表示し、かつ、前記複数のアプリケーションは共有して前記蓄積手段を使用する画像処理装置にける画像処理方法おいて、
サムネイル表示用のメモリは前記複数のアプリケーションが前記表示用メモリ領域に各アプリケーションの起動時に確保し、
プレビュー表示用のメモリは前記複数のアプリケーションが前記表示用メモリ領域に各アプリケーションのプレビュー実行時に確保し、
前記操作部制御手段は、前記操作パネルからアプリケーションの切換要求が行われた場合、
前記操作部表示権を有するアプリケーションへ操作部解放要求を行い、前記操作部解放要求を受けたアプリケーションが、前記表示用メモリ領域にプレビュー表示用のメモリを確保していたときは、
前記操作パネルに画像情報を表示することができない旨を表示することを特徴とする画像処理方法。
【請求項５】
複数のアプリケーション機能と、
表示機能を有する操作パネルと、
該操作パネルの表示用メモリ領域を備える蓄積手段と、
前記操作パネルを制御する操作部制御手段とを有し、
前記操作部制御手段は、操作部表示権を有するアプリケーションが前記表示用メモリ領域に記憶した画像情報を前記操作パネルに表示し、かつ、前記複数のアプリケーションは共有して前記蓄積手段を使用する画像処理装置にける画像処理プログラムおいて、
コンピュータに、
サムネイル表示用のメモリに、前記複数のアプリケーションが前記表示用メモリ領域に各アプリケーションの起動時に確保させ、
プレビュー表示用のメモリに、前記複数のアプリケーションが前記表示用メモリ領域に各アプリケーションのプレビュー実行時に確保させ、
前記操作パネルからアプリケーションの切換要求が行われた場合、
前記操作部制御手段に、
前記操作部表示権を有するアプリケーションへ操作部解放要求を行わせ、さらに、前記操作部解放要求を受けたアプリケーションが、前記表示用メモリ領域にプレビュー表示用のメモリを確保していたときは、前記操作パネルに画像情報を表示することができない旨を表示させることを特徴とする画像処理プログラム。
【手続補正２】
【補正対象書類名】明細書
【補正対象項目名】発明の名称
【補正方法】変更
【補正の内容】
【発明の名称】画像処理装置、画像処理方法及び画像処理プログラム
【手続補正３】
【補正対象書類名】明細書
【補正対象項目名】０００１
【補正方法】変更
【補正の内容】
【０００１】
本発明は、画像処理装置、画像処理方法及び画像処理プログラムに関する。
【手続補正４】
【補正対象書類名】明細書
【補正対象項目名】０００８
【補正方法】変更
【補正の内容】
【０００８】
上記課題を解決するために、請求項１に記載された発明は、複数のアプリケーション機能と、表示機能を有する操作パネルと、該操作パネルの表示用メモリ領域を備える蓄積手段と、前記操作パネルを制御する操作部制御手段とを有し、前記操作部制御手段は、操作部表示権を有するアプリケーションが前記表示用メモリ領域に記憶した画像情報を前記操作パネルに表示する画像処理装置において、
前記複数のアプリケーションは共有して前記蓄積手段を使用し、サムネイル表示用のメモリは前記複数のアプリケーションが前記表示用メモリ領域に各アプリケーションの起動時に確保し、プレビュー表示用のメモリは前記複数のアプリケーションが前記表示用メモリ領域に各アプリケーションのプレビュー実行時に確保し、前記操作部制御手段は、前記操作パネルからアプリケーションの切換要求が行われた場合、前記操作部表示権を有するアプリケーションへ操作部解放要求を行い、前記操作部解放要求を受けたアプリケーションが、前記表示用メモリ領域にプレビュー表示用のメモリを確保していたときは、前記操作パネルに画像情報を表示することができない旨を表示することを特徴とする。
請求項２に記載された発明は、請求項１記載の画像処理装置において、前記操作部制御手段は、前記操作パネルに画像情報を表示することができない旨を表示するときは
、前記表示用メモリ領域にプレビュー表示用のメモリを確保しているアプリケーション機能名を表示することを特徴とする。
【手続補正５】
【補正対象書類名】明細書
【補正対象項目名】０００９
【補正方法】変更
【補正の内容】
【０００９】
請求項３に記載された発明は、請求項１又は２記載の画像処理装置において、前記操作部表示権を有するアプリケーションは、他のアプリケーションが前記表示用メモリ領域にプレビュー表示用のメモリを確保していたときにプレビュー機能を使用することができないことを特徴とする。
【手続補正６】
【補正対象書類名】明細書
【補正対象項目名】００１０
【補正方法】変更
【補正の内容】
【００１０】
請求項４に記載された発明は、複数のアプリケーション機能と、表示機能を有する操作パネルと、該操作パネルの表示用メモリ領域を備える蓄積手段と、前記操作パネルを制御する操作部制御手段とを有し、前記操作部制御手段は、操作部表示権を有するアプリケーションが前記表示用メモリ領域に記憶した画像情報を前記操作パネルに表示し、かつ、前記複数のアプリケーションは共有して前記蓄積手段を使用する画像処理装置にける画像処理方法おいて、
サムネイル表示用のメモリは前記複数のアプリケーションが前記表示用メモリ領域に各アプリケーションの起動時に確保し、プレビュー表示用のメモリは前記複数のアプリケーションが前記表示用メモリ領域に各アプリケーションのプレビュー実行時に確保し、前記操作部制御手段は、前記操作パネルからアプリケーションの切換要求が行われた場合、前記操作部表示権を有するアプリケーションへ操作部解放要求を行い、前記操作部解放要求を受けたアプリケーションが、前記表示用メモリ領域にプレビュー表示用のメモリを確保していたときは、前記操作パネルに画像情報を表示することができない旨を表示することを特徴とする。
【手続補正７】
【補正対象書類名】明細書
【補正対象項目名】００１１
【補正方法】変更
【補正の内容】
【００１１】
請求項５に記載された発明は、複数のアプリケーション機能と、表示機能を有する操作パネルと、該操作パネルの表示用メモリ領域を備える蓄積手段と、前記操作パネルを制御する操作部制御手段とを有し、前記操作部制御手段は、操作部表示権を有するアプリケーションが前記表示用メモリ領域に記憶した画像情報を前記操作パネルに表示し、かつ、前記複数のアプリケーションは共有して前記蓄積手段を使用する画像処理装置にける画像処理プログラムおいて、
コンピュータに、サムネイル表示用のメモリに、前記複数のアプリケーションが前記表示用メモリ領域に各アプリケーションの起動時に確保させ、プレビュー表示用のメモリに、前記複数のアプリケーションが前記表示用メモリ領域に各アプリケーションのプレビュー実行時に確保させ、前記操作パネルからアプリケーションの切換要求が行われた場合、前記操作部制御手段に、前記操作部表示権を有するアプリケーションへ操作部解放要求を行わせ、さらに、前記操作部解放要求を受けたアプリケーションが、前記表示用メモリ領域にプレビュー表示用のメモリを確保していたときは、前記操作パネルに画像情報を表示することができない旨を表示させることを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】